(57)【要約】  【課題】多くの数の周波数を共用することができ、その周波数を任意に設定できる多周波共用マイクロストリップアンテナ（ＭＳＡ）を提供する。  【解決手段】このＭＳＡは、菱形の外形を有する平面状の放射素子２２と、この菱形の鋭角を結ぶ対角線の一方の端部近傍に位置し、放射素子２２と電磁結合により給電するＬプローブ２４とを備えており、放射素子２２は、Ｌプローブの側に開いたＶ字状のＶ型スリット３１、３２、３３を１または複数具備している。このＭＳＡでは、Ｖ型スリット３１、３２、３３により、異なる共振周波数を有する複数の電流経路が形成され、多周波共用特性を示す。この多周波共用ＭＳＡは、多くの数の周波数を共用することができ、また、その周波数を任意に設定することができる。  【選択図】図１
2007006246.tif 000002
【特許請求の範囲】
【請求項１】
菱形の外形を有する平面状の放射素子と、
前記菱形の鋭角を結ぶ対角線の一方の端部近傍に位置し、前記放射素子と電磁結合により給電するＬプローブと
を備え、前記放射素子が、前記Ｌプローブの側に開いたＶ字状のＶ型スリットを１または複数具備していることを特徴とする多周波共用マイクロストリップアンテナ。
【請求項２】
請求項１に記載の多周波共用マイクロストリップアンテナであって、前記Ｖ型スリットの各辺が前記対角線の他方の端部に接続する前記菱形の２辺に平行していることを特徴とする多周波共用マイクロストリップアンテナ。
【請求項３】
請求項１に記載の多周波共用マイクロストリップアンテナであって、前記Ｖ型スリットの幅が、Ｖ字の底で最も広く、Ｖ字の両端で最も狭いことを特徴とする多周波共用マイクロストリップアンテナ。  
【請求項４】
請求項１から３のいずれかに記載の多周波共用マイクロストリップアンテナであって、前記Ｖ型スリットの他のＶ型スリットとの間隔が不均一であり、前記菱形の外周に近い前記間隔は、当該間隔より前記菱形の内側に位置する前記間隔と比べて、広いか、または等しいことを特徴とする多周波共用マイクロストリップアンテナ。
【請求項５】
請求項１から３のいずれかに記載の多周波共用マイクロストリップアンテナであって、前記Ｖ型スリットの他のＶ型スリットとの間隔が均一であることを特徴とする多周波共用マイクロストリップアンテナ。
【請求項６】
請求項１から５のいずれかに記載の多周波共用マイクロストリップアンテナであって、前記ＬプローブがＴ字状の導体を具備することを特徴とする多周波共用マイクロストリップアンテナ。
【発明の詳細な説明】
【技術分野】
【０００１】
本発明は、複数の周波数で動作する多周波共用特性を備えたマイクロストリップアンテナ（以下、“ＭＳＡ”と略す。）に関し、特に、多数の動作周波数を自由に設定できるようにしたものである。
【背景技術】
【０００２】
ＭＳＡは、放射導体と地導体（ＧＮＤ）との間の電界により放射導体の端部で磁流を生じ、その磁流を波源として電波を放射するアンテナである。従来、ＭＳＡは、小形、軽量で、しかも薄型に構成できるため、移動通信を始めとして多くの分野で用いられており、また、ＭＳＡ素子を２重に積み重ねて２周波共用特性を持つものや、３重に重ねて３周波共用特性を持つアンテナが作られている。
【０００３】
また、下記非特許文献１には、単層構造の多周波共用ＭＳＡが記載されている。このアンテナは、図１５（ａ）に示すように、絶縁基板１１上に形成されたＭＳＡの放射素子１２と、絶縁基板１１の裏面に設けられる地導体１３と、地導体１３と同一平面に形成されるコプレーナ型の給電線路１４とを備えており、放射素子１２は、この給電線路１４から電磁結合型の給電法で給電される。
この地導体１３は６０×６０ｍｍの大きさを有している。また、放射素子１２は、図１５（ｂ）に示すように、２２×２２ｍｍ（面積４８０ｍｍ2）の正方形の内部に、四角形の一部が開口した２本のスリット１５、１６を有しており、スリット１５、１６で区画された２本のリング状素子部１７、１８と中央のＭＳＡ素子部１９とがアンテナとして作用する。
【０００４】
図１６は、この多周波共用ＭＳＡのリターンロス特性を表しており、周波数ｆL、ｆM及びｆHに共振点を持つ３周波共用特性を示している。なお、図中、実線は実測値、点線はシミュレーション値を示している。
また、図１７は、ｆL、ｆM及びｆHの各共振周波数におけるＥ面及びＨ面の放射パターンを表している。図中、実線は実測値、点線はシミュレーション値を示し、また、一点鎖線は交差偏波レベルを示している。
交差偏波は、混信を避けるために抑える必要があるが、−２０ｄＢ以下であれば実用上支障が無いとされている。この３周波共用ＭＳＡでは、各共振周波数でのボアサイト方向の交差偏波レベルが−２０ｄＢ以下の値を示している。
【非特許文献１】鈴木、羽石「折曲げスロット装荷周波数共用マイクロストリップアンテナ」電子情報通信学会論文誌Ｂ、Ｖｏｌ．Ｊ８５−Ｂ、Ｎｏ．２、ｐｐ．２０７−２１５、２００２年２月
【発明の開示】
【発明が解決しようとする課題】
【０００５】
しかし、この多周波共用ＭＳＡでは、放射素子の面積を変えない場合、３周波の共用が限度であり、共用数をさらに増やすと、交差偏波レベルが−２０ｄＢを超えてしまうなど放射パターンの劣化を伴う。
【０００６】
本発明は、こうした状況を改善するために創案したものであり、多くの数の周波数を共用することができ、また、その周波数を任意に設定することができる多周波共用ＭＳＡを提供することを目的としている。
【課題を解決するための手段】
【０００７】
本発明の多周波共用ＭＳＡは、菱形の外形を有する平面状の放射素子と、この菱形の鋭角を結ぶ対角線の一方の端部近傍に位置し、放射素子と電磁結合により給電するＬプローブとを備えており、放射素子は、Ｌプローブの側に開いたＶ字状のＶ型スリットを１または複数具備している。
このＭＳＡでは、Ｖ型スリットにより、異なる共振周波数を有する複数の電流経路が形成され、多周波共用特性を示す。
【０００８】
また、本発明の多周波共用ＭＳＡでは、Ｖ型スリットの各辺が前記対角線の他方の端部に接続する菱形の２辺に平行している。
そのため、Ｖ型スリットを複数設けることにより、相似する菱形形状の電流経路が複数出現する。
【０００９】
また、本発明の多周波共用ＭＳＡでは、Ｖ型スリットの幅が、Ｖ字の底で最も広く、Ｖ字の両端で最も狭い。
このＶ字の底での幅を変えて共振周波数を変えることができる。
【００１０】
また、本発明の多周波共用ＭＳＡでは、Ｖ型スリットの他のＶ型スリットとの間隔が不均一であり、菱形の外周に近い間隔は、当該間隔より菱形の内側に位置する間隔と比べて広いか、または等しくなるように設定している。
こうすることで、優れた多周波共用特性を持たせることができる。
【００１１】
また、本発明の多周波共用ＭＳＡでは、Ｖ型スリットの他のＶ型スリットとの間隔が均一になるように設定している。
こうすることで、菱形の内部に多くのＶ型スリットを設け、共用周波数の数を増やすことができる。
【００１２】
また、本発明の多周波共用ＭＳＡでは、ＬプローブがＴ字状の導体を持つように構成している。
このＬプローブにより、広い周波数範囲の信号が放射素子に給電され、多周波共用が可能になる。
【発明の効果】
【００１３】
本発明の多周波共用ＭＳＡは、多くの数の周波数を共用することができ、また、その周波数を任意に設定することができる。
【発明を実施するための最良の形態】
【００１４】
図１は、本発明の実施形態における多周波共用ＭＳＡの構成を示している。図１（ａ）は斜視図であり、図１（ｂ）は断面図である。また、図１（ｃ）はＬプローブの拡大図、磁１（ｄ）は放射素子の拡大図である。
この多周波共用ＭＳＡは、第１の絶縁基板２１に形成された菱形の金属導体層から成る放射素子２２と、第２の絶縁基板２３に形成されたＴ字形状の金属導体層から成る給電部２４と、第２の絶縁基板２３の裏面に設けられた地導体２５と、中心導体及び外側導体を有する同軸コネクタ２６とを備えている。
【００１５】
給電部２４のＴ字形状の金属導体層には、同軸コネクタ２６の中心導体の先端が、第２の絶縁基板２３を貫通して接続している。この給電部の構造は、“Ｌプローブ”と呼ばれるものであり、Ｌプローブは、広帯域な電磁結合型の給電が可能なプローブとして知られている。また、中心導体から絶縁された同軸コネクタ２６の外側導体は、地導体２５に接続している。
このように、第２の絶縁基板２３は、Ｌプローブ２４を構成する給電用基板としての役割を果たしており、アンテナ部基板である第１の絶縁基板２１と、Ｌプローブ２４を挟む形で積層されている。
【００１６】
アンテナ部基板の第１の絶縁基板２１には、正三角形を２つ組み合わせた菱形形状の放射素子２２が形成されており、図１（ｂ）、（ｄ）に示すように、Ｌプローブ２４は、この菱形の一方の鋭角位置に、第１の絶縁基板２１を介して配置されている。
また、放射素子２２には、菱形の二辺に平行するスリットから成るＶ字型のスリットが３本（３１、３２、３３）形成されており、各Ｖ字はＬプローブの側に開いている（このＶ字型スリットを、以下 “逆Ｖ字型スリット”と呼ぶ。）。
この３本の逆Ｖ字型スリットにより、放射素子２２には、図２（ａ）（ｂ）（ｃ）（ｄ）に示す４つの電流経路が形成され、Ｌプローブ２４から給電を受けた場合に、各電流経路による共振現象が現れる。図２では、電磁界シミュレータ（モーメント法を用いる電磁界シミュレータ（ＩＥ３Ｄ））で求めた各電流経路の電流分布を矢印で模式的に示している。図２（ａ）（ｂ）（ｃ）（ｄ）に示すように、各電流経路には、菱形の辺を通り、Ｌプローブ２４が位置する菱形の鋭角から他方の鋭角に一様に向かう電流分布が出現する。また、図２（ｅ）に示すように、後述する高次モードでは、電流の方向が反転する電流分布も出現する。
【００１７】
ここでは、最も長い電流経路の図２（ａ）の電流分布に基づく現象を“１ｓｔモード”、２番目に長い電流経路の図２（ｂ）の電流分布に基づく現象を“２ｎｄモード”、３番目に長い電流経路の図２（ｃ）の電流分布に基づく現象を“３ｒｄモード”、最も短い電流経路の図２（ｄ）の電流分布に基づく現象を “４ｔｈモード”と呼ぶことにする。
図３は、この多周波共用ＭＳＡのリターンロス特性を示している。ただし、図１に符号で示した多周波共用ＭＳＡの各種寸法諸元は次の通り設定した（単位はｍｍ）。
ｈ１＝２３．８、ｈ０＝６．８７、ａ＝１３．７４、ｗ１＝ｗ２＝０．４、ｗ３＝３．２、ｗ４＝０．４、ｗ５＝１．２、ｗ６＝０．４、ｄ＝０．４、Ｐｌ＝３．８、Ｐｗ＝１．５、Ｐ２＝３．０、Ｐｓ＝０．０、Ｐｄ＝０．８、Ｐｔ＝０．８、Ｐｆ＝０．７５、Ｄ＝０．５０、ｔ１＝ｔ２＝１．２、Ｗx＝Ｗｙ＝６０
【００１８】
また、第１及び第２の絶縁基板２１、２３には、テフロン（登録商標）グラスファイバ基板（ＰＴＦＥ基板、比誘電率εr＝２．６、ｔａｎδ＝１．８×１０-3）を使用し、この基板に銅薄膜が被着されたプリント基板をエッチングして、面積１６３．５ｍｍ2の放射素子２２とＴ字形状のＬプローブ２４とを形成した。
【００１９】
図３（ａ）は、縦軸にリターンロスの値、横軸に周波数を示し、また、図３（ｂ）は、横軸に、周波数を後述する１ｓｔモードの共振周波数（３．８９ＧＨｚ）で正規化した値を取って、リターンロス特性を示している。図中、実線は実測値、点線はシミュレーション値を示している。
図３（ａ）において、３．８９ＧＨｚにみられる共振現象は、１ｓｔモードの電流分布に対応するものである。また、４．６３ＧＨｚ、６．９９ＧＨｚ及び９．７５ＧＨｚにおける共振現象は、各々、２ｎｄモード、３ｒｄモード及び４ｔｈモードの電流分布に対応するものである。図２より明らかなように、モードの次数が増加するに伴い、各々のモードに対応する電流経路の経路長が短縮化され、図３に見られるように、各モードの共振周波数が上昇している。
【００２０】
この多周波共用ＭＳＡでは、モードの次数が増加するに伴い、その共振周波数が徐々に高域側へ移行しており、それによりマルチバンド特性が実現される。また、リターンロス特性の実測値は、図３から分かるように、設計上有意な範囲でシミュレーション値と良く一致している。
なお、図３の（ｅ−１）及び（ｅ−２）に見られる共振現象は、１ｓｔモードの第１及び第２高次モードに対応するものである。図２（ｅ）では、これら高次モードのうち、特に強い共振現象を示す第２高次モードの電流分布を示している。これらの高次モードの共振周波数は、この多周波共用ＭＳＡの使用対象から除外すれば良い。
【００２１】
図４は、この多周波共用ＭＳＡの１ｓｔモード、２ｎｄモード、３ｒｄモード及び４ｔｈモードにおける放射パターンを（ａ）（ｂ）（ｃ）及び（ｄ）に示し、比較のため、１ｓｔモードの第２高次モードに対応する放射パターンを (ｅ−２)に示している。図中、実線でＥ面（外側の線）及びＨ面（内側の線）の特性を示し、点線で交差偏波レベルを示している。図から明らかのように、１ｓｔモード、２ｎｄモード、３ｒｄモード及び４ｔｈモードの放射パターンは、Ｅ面、Ｈ面共に単向性の良好なパターンを示し、交差偏波成分も最悪値で−２２ｄＢ以下まで抑制されている。
また、図５は、各モードにおける利得のシミュレーション値を示している。この図の横軸には、図３（ｂ）と同様に、周波数を３．８９ＧＨｚで正規化した値を取り、縦軸には利得を取っている。１ｓｔモード、２ｎｄモード、３ｒｄモード及び４ｔｈモードのすべてにおいて４．０ｄＢｉ以上の利得が得られている。
【００２２】
このように、この多周波共用ＭＳＡは、放射素子２２の面積が図１５の放射素子１２と同程度にも関わらず、より多くの共振周波数を保持することができ、しかも、各共振周波数での放射パターンは、図１５のＭＳＡより優れている。
この多周波共用ＭＳＡでは、放射素子２２を菱形に成形し、複数の逆Ｖ字型スリット３１、３２、３３により複数のモードの電流経路を形成している。そのため、各モードの電流経路は、Ｌプローブ２４の位置を１つの頂点とする相似形状となる。また、菱形の放射素子２２において、鋭角を成す頂点間の対角線は長い。
こうしたことから、各モードの電流経路の先端（Ｌプローブ位置から最も遠い電流経路上の位置）は、相互干渉が生じない位置に間隔を空けて配置することができ、それが、共用周波数の数及び放射パターンでの優位性を齎していると考えられる。
また、この多周波共用ＭＳＡのＴ字状に成形したＬプローブ２４は、共振周波数が広い範囲に拡がる各モードの電流経路に対して、その範囲をすべてカバーする給電信号を供給しており、それが優れた多周波共用特性の実現にも貢献している。
【００２３】
次に、この多周波共用ＭＳＡの共振周波数を制御する基本的な方法について説明する。
この方法には二通りある。第一の方法は、逆Ｖ字型スリットの位置を移動して共振周波数を変える方法であり、図６に示すように、図６（ａ）の位置の逆Ｖ字型スリットを図６（ｂ）の位置に移動する。このとき、逆Ｖ字型スリットに沿って形成される２ｎｄモードの電流経路長が変わり、それに伴って２ｎｄモードの共振周波数が変化する。
図７は、逆Ｖ字型スリットの移動に伴う共振周波数の変化をグラフで示している。この図の横軸は、放射素子の菱形における一辺の長さをａ、逆Ｖ字型スリットの移動距離をｗ１としたときのｗ１／ａを表しており、縦軸は、１ｓｔモードの共振周波数である３．８９ＧＨｚで正規化した共振周波数を表している。なお、この場合のＭＳＡの各種寸法諸元は、逆Ｖ字型スリットの位置を除けば、図３の場合と同じである。
この図から明らかなように、逆Ｖ字型スリットの位置を移動することで、１ｓｔモードの共振周波数（実線）を略一定値に保ったまま、２ｎｄモードの共振周波数（点線）を３倍程度まで変化させることができる。
【００２４】
また、共振周波数を制御する第二の方法は、図６（ａ）の逆Ｖ字型スリットの形状を図６（ｃ）のように拡げて共振周波数を変える方法であり、この場合も２ｎｄモードの電流経路長が変わるため、それに伴って２ｎｄモードの共振周波数が変化する。
図８は、この場合の共振周波数の変化をグラフで示している。この図の横軸は、放射素子の菱形における鋭角間の対角線をｈ１、逆Ｖ字型スリットで形成された三角形の頂点から菱形の中心までの距離をｈ２としたときのｈ２／ｈ１を表しており、縦軸は、１ｓｔモードの共振周波数である３．８９ＧＨｚで正規化した共振周波数を表している。なお、この場合のＭＳＡの各種寸法諸元は、逆Ｖ字型スリットの位置や形状を除けば、図３の場合と同じである。
この図から明らかなように、逆Ｖ字型スリットの形状を変化させることで、１ｓｔモードの共振周波数（実線）を略一定値に保ったまま、２ｎｄモードの共振周波数（点線）を２倍程度まで変えることができる。
【００２５】
また、図９は、第二の方法により逆Ｖ字型スリットの形状を変えたときの放射パターンを、ｈ２が１１．４５、８．０、５．０、２．０及び０．０（単位；ｍｍ）の各場合について示している。これをみると、ｈ２の値を大幅に変え（０〜１１．４５ｍｍ）、２ｎｄモードの共振周波数を５．３５ＧＨｚから７．９０ＧＨｚに亘り制御しても、その放射パターンについては、交差偏波成分はやや劣化するものの、主偏波成分は単向性パターンを示すことが明らかである。
なお、図６、図７、図８では、逆Ｖ字型スリットが１つの場合について示しているが、逆Ｖ字型スリットが複数の場合でも、各逆Ｖ字型スリットに対してこれらの方法を適用し、各モードの共振周波数を制御することができる。
【００２６】
次に、放射素子上への多数の逆Ｖ字型スリットの配置について説明する。
菱形の放射素子上に一定数の逆Ｖ字型スリットを配置する場合は、図１０（ａ）に示すように、外側の逆Ｖ字型スリット間の間隔を、内側の逆Ｖ字型スリット間の間隔よりも拡げた方が良好なマルチバンド特性が得られる。ここでは、このような逆Ｖ字型スリットの不等間隔での配置を“Ａタイプ”と呼ぶことにする。
図１０（ａ）は、ｈ１が２３．８ｍｍの放射素子上に７本の逆Ｖ字型スリットをＡタイプで配置したときの形状を示している。このスリット間隔（ｗ１、ｗ３、ｗ５、ｗ７、ｗ９、ｗ１１、ｗ１３）、及び、各逆Ｖ字型スリットの端部と素子端部との距離（ｗ２、ｗ４、ｗ６、ｗ８、ｗ１２、ｗ１４）は、良好なマルチバンド特性（図１１及び図１２）が得られるように、シミュレーションを行い決定したものであり、それらの値は次の通りである。
ｗ１＝ｗ２＝０．４、ｗ３＝１．２、ｗ４＝０．４、ｗ５＝０．８、ｗ６〜ｗ１４＝０．４
なお、この場合のＭＳＡは、ＬプローブのＰｌを５．０、Ｐｔを２．０に設定した以外は、全て図３の場合と同じである。
【００２７】
図１１は、このタイプＡの放射素子の１ｓｔモードから８ｔｈモードまでの各モードにおける電流分布及び放射パターンを示し、また、図１２は、このアンテナのリターンロス特性を示している。
１ｓｔモードから８ｔｈモードに対応する各電流の電流経路長は、モードの次数の増加に伴い短くなり、その各々の電流分布に対応する共振周波数は、高域側の周波数領域へ移行している。また、リターンロス特性の実測値は、設計上有意な範囲でシミュレーション値と良い一致を示している。
各モードに対応する放射パターンを見ると、１ｓｔモードから７ｔｈモードに亘り、Ｅ面、Ｈ面共に単向性のパターンが得られている。なお、８ｔｈモードに見られる放射パターンの非対称性は、高次モードの影響によるものと考えられる。
このように、この多周波共用ＭＳＡは、良好なマルチバンド特性を有していることが明らかである。
【００２８】
また、菱形の放射素子上により多くの逆Ｖ字型スリットを配置する場合は、図１０（ｂ）に示すように、逆Ｖ字型スリットを等間隔に配置する。ここでは、このような逆Ｖ字型スリットの等間隔での配置を“Ｂタイプ”と呼ぶことにする。
図１０（ｂ）は、ｈ１が２３．８ｍｍの放射素子上に９本の逆Ｖ字型スリットをＢタイプで配置したときの形状を示している。このスリット間隔（ｗ１、ｗ３、ｗ５、ｗ７、ｗ９、ｗ１１、ｗ１３、ｗ１５、ｗ１７）、及び、各逆Ｖ字型スリットの端部と素子端部との距離（ｗ２、ｗ４、ｗ６、ｗ８、ｗ１２、ｗ１４、ｗ１６、ｗ１８）は、良好なマルチバンド特性（図１３）が得られるように、シミュレーションを行い決定したものであり、それらの値は次の通りである。
ｗ１〜ｗ１８＝０．４
なお、この場合のＭＳＡの設定は、全て図３の場合と同じである。
【００２９】
また、図１３は、このＢタイプの逆Ｖ字型スリットを配置した多周波共用ＭＳＡのリターンロス特性を示している。この図から明らかなように、良好なマルチバンド特性が得られており、シミュレーション値は設計上有意な範囲で実測値と良い一致を示している。
また、図１４は、このＢタイプの逆Ｖ字型スリットを配置した多周波共用ＭＳＡの放射パターンを示している。１ｓｔモードから１０ｔｈモードに亘る各モードの放射パターンは、Ｅ面、Ｈ面共に、単向性パターンを示している。
【００３０】
これらのことより、本発明の多周波共用ＭＳＡは、平面構造を有するマルチバンドアンテナとして有用な一形式となり得ることが明らかである。
この多周波共用ＭＳＡは、例えば、ＧＳＭ、ＤＣＳ及びＰＣＳ方式を受信するセルラ電話用３周波共用マルチバンドアンテナとして用いたり、また、無線ＬＡＮ用（５．０ＧＨｚ帯）及びＶＩＣＳ用（２．４ＧＨｚ帯）のマルチバンドアンテナとしての応用などを想定することができる。また、どの周波数帯にも対応可能なアンテナとして使用することもできる。
【００３１】
なお、ここでは、基板としてテフロン（登録商標）グラスファイバ基板を使用し、この基板に形成された銅薄膜をエッチングして放射素子２２やＬプローブ２４を形成する場合について説明したが、本発明は、それに限るものではなく、例えば、セラミックスグリーンシートに金属粉末を含むメタライズドペーストで放射素子やＴ字状プローブ等の導体パターンを印刷し、それらを積層して焼成するような方法で形成しても良い。
【産業上の利用可能性】
【００３２】
本発明は、移動通信を始めとして、各分野で多周波共用のアンテナとして広く利用することができ、また、アンテナを使用する既存分野において、どの周波数帯にも対応可能なアンテナとして、広く利用することができる。
【図面の簡単な説明】
【００３３】
【図１】本発明の実施形態における多周波共用ＭＳＡの構成を示す図
【図２】本発明の実施形態における多周波共用ＭＳＡの電流分布を示す図
【図３】本発明の実施形態における多周波共用ＭＳＡのリターンロス特性を示す図
【図４】本発明の実施形態における多周波共用ＭＳＡの放射パターンを示す図
【図５】本発明の実施形態における多周波共用ＭＳＡの利得特性を示す図
【図６】本発明の実施形態における多周波共用ＭＳＡの共振周波数の制御方法を示す図
【図７】本発明の実施形態における多周波共用ＭＳＡの逆Ｖ字型スリットの位置を変えたときの共振周波数の変化を示す図
【図８】本発明の実施形態における多周波共用ＭＳＡの逆Ｖ字型スリットの形状を変えたときの共振周波数の変化を示す図
【図９】本発明の実施形態における多周波共用ＭＳＡの逆Ｖ字型スリットの形状を変えたときの放射パターンを示す図
【図１０】本発明の実施形態における多周波共用ＭＳＡの逆Ｖ字型スリットの配置形状を示す図
【図１１】本発明の実施形態における多周波共用ＭＳＡの逆Ｖ字型スリットをＡタイプで配置したときの電流分布及び放射パターンを示す図
【図１２】本発明の実施形態における多周波共用ＭＳＡの逆Ｖ字型スリットをＡタイプで配置したときのリターンロス特性を示す図
【図１３】本発明の実施形態における多周波共用ＭＳＡの逆Ｖ字型スリットをＢタイプで配置したときのリターンロス特性を示す図
【図１４】本発明の実施形態における多周波共用ＭＳＡの逆Ｖ字型スリットをＢタイプで配置したときの放射パターンを示す図
【図１５】従来の多周波共用ＭＳＡの構成を示す図
【図１６】従来の多周波共用ＭＳＡのリターンロス特性を示す図
【図１７】従来の多周波共用ＭＳＡの放射パターンを示す図
【符号の説明】
【００３４】
１１  絶縁基板
１２  放射素子
１３  地導体
１４  給電線路
１５  スリット
１６  スリット
１７  リング状素子部
１８  リング状素子部
１９  ＭＳＡ素子部
２１  第１の絶縁基板
２２  放射素子
２３  第２の絶縁基板
２４  Ｌプローブ
２５  地導体
２６  同軸コネクタ
３１  逆Ｖ字型スリット
３２  逆Ｖ字型スリット
３３  逆Ｖ字型スリット
【図１】
2007006246.tif 000003
【図２】
2007006246.tif 000004
【図３】
2007006246.tif 000005
【図４】
2007006246.tif 000006
【図５】
2007006246.tif 000007
【図６】
2007006246.tif 000008
【図７】
2007006246.tif 000009
【図８】
2007006246.tif 000010
【図９】
2007006246.tif 000011
【図１０】
2007006246.tif 000012
【図１１】
2007006246.tif 000013
【図１２】
2007006246.tif 000014
【図１３】
2007006246.tif 000015
【図１４】
2007006246.tif 000016
【図１５】
2007006246.tif 000017
【図１６】
2007006246.tif 000018
【図１７】
2007006246.tif 000019